(57)【特許請求の範囲】
【請求項１】
表示モジュールを含む、緊急放送メッセージ受信用の端末において、
制御モジュールと、それぞれ上記制御モジュールと接続される緊急放送メッセージ処理モジュールと、携帯電話テレビモジュールとを更に含み、上記緊急放送メッセージ処理モジュールと携帯電話テレビモジュールとが、それぞれ上記表示モジュールと接続されて、
上記制御モジュールは、端末が受信したすべての多重フレームを上記携帯電話テレビモジュールへ送信して、同時に制御チャネルに対応する多重フレームを上記緊急放送メッセージ処理モジュールへ送信し、
上記緊急放送メッセージ処理モジュールは、携帯電話テレビモジュールとは独立して機能し、上記制御チャネルに対応する多重フレームに緊急放送メッセージが存在すると判断した際に、上記制御チャネルに対応する多重フレームを解析して、上記緊急放送メッセージを取得して、上記表示モジュールにより端末のユーザーに表示することに使用されて、
上記携帯電話テレビモジュールは、多重フレームを解析して、携帯電話テレビ番組を再生することを特徴とする緊急放送メッセージ受信用の端末。
【請求項２】
上記緊急放送メッセージ処理モジュールがさらに互いに接続される制御ユニットと解析比較ユニットを含み、
上記制御ユニットは、周期的に上記制御チャネルに対応する多重フレームを受信して、この多重フレームを上記解析比較ユニットに送信し、
上記解析比較ユニットは、受信された制御チャネルに対応する多重フレームのフレームヘッダを解析して、上記制御チャネルに対応する多重フレームに緊急放送メッセージが存在すると判断した際に、上記制御チャネルに対応する多重フレームを解析して、上記緊急放送メッセージを取得して、この緊急放送メッセージを上記表示モジュールに送信することを特徴とする請求項１に記載の端末。
【請求項３】
上記解析比較ユニットは、上記制御チャネルに対応する多重フレームに緊急放送メッセージが存在すると判断した際に、この緊急放送メッセージと前回に受信された緊急放送メッセージとが同じであるかどうかを比較して、両者が異なる場合にだけ、この制御チャネルに対応する多重フレームを解析することを特徴とする請求項２に記載の端末。
【請求項４】
上記解析比較ユニットは、上記制御チャネルに対応する多重フレームに緊急放送メッセージが存在しないと判断した際に、上記制御チャネルに対応する多重フレームを解析しないことを特徴とする請求項２および３の何れか１項に記載の端末。
【請求項５】
制御ユニットと解析比較ユニットとを含む緊急放送メッセージ受信処理用のチップにおいて、
上記制御ユニットは、周期的に制御チャネルに対応する多重フレームを受信して、この多重フレームを上記解析比較ユニットに送信し、
上記解析比較ユニットは、受信された制御チャネルに対応する多重フレームのフレームヘッダを解析して、上記制御チャネルに対応する多重フレームに緊急放送メッセージが存在すると判断した際に、上記制御チャネルに対応する多重フレームを解析して、上記緊急放送メッセージを取得して、この緊急放送メッセージを出力することを特徴とする緊急放送メッセージ受信処理用のチップ。
【請求項６】
上記解析比較ユニットは、上記制御チャネルに対応する多重フレームに緊急放送メッセージが存在すると判断した際に、この緊急放送メッセージと前回に受信された緊急放送メッセージとが同じであるかどうかを比較し、両者が異なる場合にだけ、この制御チャネルに対応する多重フレームを解析することを特徴とする請求項５に記載のチップ。
【請求項７】
緊急放送メッセージ受信用の方法であって、
端末は、多重フレームを受信した後に、制御チャネルに対応する多重フレームのフレームヘッダに従って緊急放送メッセージがあるかどうかを判断して、あれば、上記多重フレーム識別子が零である場合に制御チャネルに対応する多重フレームを解析して、上記緊急放送メッセージを取得して、ユーザー端末に表示することと、
上記端末は、緊急放送メッセージ処理を行うと同時に、すべての多重フレームを解析して、携帯電話テレビ番組を再生して、端末のユーザーに表示することと、
を含むことを特徴とする方法。
【請求項８】
上記端末は、周期的に上記制御チャネルに対応する多重フレームに緊急放送メッセージがあるかどうかを判断して、あれば、この制御チャネルに対応する多重フレームを解析して、上記緊急放送メッセージを取得して、端末のユーザーに表示することを特徴とする請求項７に記載の方法。
【請求項９】
上記端末は、上記制御チャネルに対応する多重フレームに緊急放送メッセージが存在すると判断した後に、この緊急放送メッセージと前回に受信された緊急放送メッセージとが同じであるかどうかをさらに比較して、両者が異なる場合にだけ、この制御チャネルに対応する多重フレームを解析することを特徴とする請求項８に記載の方法。
【請求項１０】
上記端末は、上記制御チャネルに対応する多重フレームに緊急放送メッセージが存在しないと判断した際に、上記制御チャネルに対応する多重フレームを解析しないことを特徴とする請求項７および８の何れか１項に記載の方法。
【発明の詳細な説明】
【技術分野】
【０００１】
本発明は移動マルチメディア放送分野に関し、具体的には、緊急放送メッセージ受信用の端末、チップ及び方法に関する。
【背景技術】
【０００２】
近年、デジタル移動マルチメディア放送技術と標準が急速に発展し、例えば、ヨーロッパのデジタルビデオ放送ハンドヘルド（Ｄｉｇｉｔａｌ  Ｖｉｄｅｏ  Ｂｒｏａｄｃａｓｔ  Ｈａｎｄｈｅｌｄ、略してＤＶＢ-Ｈとも呼ばれる。）、アメリカのメディアフォワードリンクオンリー（Ｍｅｄｉａ  Ｆｏｒｗａｒｄ  Ｌｉｎｋ  Ｏｎｌｙ、略してＭｅｄｉａＦＬＯとも呼ばれる。）、移動セルラに基づく放送マルチキャストサービス（Ｂｒｏａｄ  ｃａｓｔ  ａｎｄ  Ｍｕｌｔｉｃａｓｔ  Ｓｅｒｖｉｃｅｓ、略してＢＣＭＣＳとも呼ばれる。）等がある。デジタル移動マルチメディア放送ネットワークはその端末のユーザーに色々なサービス内容、例えば、広告、天気予報、ニュース、体育番組、バラエティ番組、マルチメディア放送ドラマ、映画等の番組を提供し、ユーザーは自分の好みで移動マルチメディア放送によって提供されるサービス番組を選択することができる。
【０００３】
携帯電話テレビサービスとは、一言で言えば、移動通信の携帯電話端末を利用してテレビ番組を見るサービスである。新興のサービスとして、携帯電話テレビは、リビングルームで家族と一緒に見る伝統的なテレビと比べて、携帯性、移動性およびプライバシー等の特徴を備える。移動デジタルサービスの普及、携帯電話のビデオ機能の拡大に伴って、携帯電話テレビは徐々に人々の生活に入り始める。人々の生活水準が高め続けられることに伴って、消費リクエストは益々多様化、流行化し、携帯電話でテレビ番組を見るのは流行になり始め、人々が生活を楽しむ方法になる。
【０００４】
放送テレビサービスの発展からみると、伝統的な放送テレビ技術は、すでにアナログ技術からデジタル技術へ急速に発展し、テレビ信号の受信装置は普通の卓上型のテレビから移動テレビ、カーテレビ及び手持ちテレビ等の多元化端末の方向へ発展している。移動通信の発展の勢いからみると、移動通信ネットワークのデータ転送能力が大幅に高められ、端末製造技術が続けて改善されることに伴って、携帯電話端末によりテレビ番組を見させることが可能になる。この両方面の技術進歩は携帯電話端末により高質なビデオ番組内容を受信することに道を開いて、二つの大手の産業の間の硬性境界を溶かし始めて、さらにこの携帯電話テレビは、新たなサービスモードを生み出す。
【０００５】
緊急放送は放送通信システムを利用して公衆へ緊急イベントを通告する方法である。自然災害、事故災難、公衆衛生及び社会安全等の突発イベントが発生する際に、重大的な死傷、財産の被害、生態環境破壊や厳重な社会危害を起こし或いは起こすかも知れず、公衆安全に危険を与える際に、緊急放送は素速く便利な通告方法を提供する。国の各種類の突発応急イベントに対する重視と各種類の公衆緊急対応策の提出に伴って、大量のオンラインユーザーを有する放送技術として、緊急放送サービスを提供するのは非常に必要性がある。緊急放送メッセージを受信できる機能を有する携帯電話端末は緊急放送システムから放送された緊急放送メッセージを受信することができる。
【０００６】
図１は移動マルチメディア放送チャネルフレームの構造図であって、図１に示すように、多重フレームヘッダ、多重ペイロード、充填部分より構成する複数の多重フレームは放送チャネルフレームを構成する。
【０００７】
例えば、１秒を多重周期に確定して、４０個の時間帯（タイムスロット）に区画すると、多重ユニットは２５ｍｓである。ロジックの多重フレームとタイムスロットのマッピングはシステムの配置により決められる。
【０００８】
範囲が０から最大の３９までの一つの多重フレーム識別子ＭＦ＿ＩＤがそれぞれ配布される一つの多重フレームが一つの制御又はサービスロジックチャネルに対応する。この中に、ＭＦ＿ＩＤ＝０の多重フレームが制御ロジックチャネルにマッピングされ、システム制御情報を転送し、多重フレーム識別子ＭＦ＿ＩＤが非零である多重フレームがサービスロジックチャネルにマッピングされ、サービス情報を転送する。
【０００９】
図２に示すように、多重フレーム識別子が零である多重フレームは制御情報をベアリング（積載：承載）し、この多重フレームの多重フレームペイロードは複数の制御情報テーブルを含み、各多重サブフレームは一つの制御情報テーブルより組み立てられる。従来の移動マルチメディア放送の規範において、緊急放送サービスを制御情報多重フレームのテーブル表示番号が０ｘ１０である制御情報テーブルに入れて送信する。
【００１０】
図３に示すように、多重フレームヘッダにおいて「緊急放送指示」があって、この指示が非零である際に、多重フレーム識別子が零である多重フレームには緊急放送がベアリングされることを表す。
【００１１】
従来の技術において、携帯電話の中にすべては緊急放送メッセージの受信チップが組み込まれた場合に、携帯電話の中に携帯電話テレビ応用（アプリケーション）が存在すると、緊急放送メッセージの受信チップを起動して緊急放送メッセージを受信する。ユーザーは、携帯電話テレビ応用が入っていれば緊急放送メッセージを受信でき、携帯電話テレビ応用が入っていない限り緊急放送メッセージを受信できない。携帯電話の中に携帯電話テレビ応用が存在しないと、携帯電話は緊急放送メッセージを受信できない。携帯電話テレビ応用が入れられて存在した後に、間断なく緊急放送メッセージがあるかどうかを検査して、緊急放送メッセージを検出した後に、緊急放送メッセージをユーザーに表示する。
【発明の概要】
【発明が解決しようとする課題】
【００１２】
従来の技術は下記の欠点がある。
【００１３】
（１）  携帯電話端末が携帯電話テレビ応用を備えないと緊急放送メッセージを受信できない。
【００１４】
（２）  携帯電話端末が有効的な時間内にユーザーへ緊急放送メッセージがあることをタイムリーに通知できず、緊急放送が提供する素速く便利な通告方法の目的をよく達成できない。
【００１５】
（３）  端末が間断なく緊急放送メッセージを検査するため、携帯電話端末は相当に大きな電力を消費させる。
【００１６】
したがって、ユーザーの携帯電話がオンの状態で合理的な便利な方法を提供して緊急放送メッセージを受信する必要がある。
【００１７】
本発明により解決しようとする課題は、オンの状態の端末がどんな情况でも緊急放送メッセージを受信できることを保証する緊急放送メッセージの受信用の端末、チップ及び方法を提供することである。
【課題を解決するための手段】
【００１８】
上記課題を解決するために、本発明は緊急放送メッセージ受信用の端末を開示し、表示モジュールと、制御モジュールと、それぞれ上記制御モジュールと接続される緊急放送メッセージ処理モジュールと、携帯電話テレビモジュールとを含み、上記緊急放送メッセージ処理モジュールと携帯電話テレビモジュールが、それぞれ上記表示モジュールと接続されて、この中に、
上記制御モジュールは、端末が受信したすべての多重フレームを上記携帯電話テレビモジュールへ送信して、同時に、制御チャネルに対応する多重フレームを上記緊急放送メッセージ処理モジュールへ送信し、
上記緊急放送メッセージ処理モジュールは、上記制御チャネルに対応する多重フレームにおいて緊急放送メッセージが存在すると判断した際に、上記多重フレームを解析して、上記緊急放送メッセージを取得して、上記表示モジュールにより端末のユーザーに表示し、
上記携帯電話テレビモジュールは、多重フレームを解析して、携帯電話テレビ番組を再生する。
【００１９】
さらに、上記端末において、上記緊急放送メッセージ処理モジュールは、さらに互いに接続される制御ユニットと解析比較ユニットとを含み、この中に、
上記制御ユニットは、周期的に上記制御チャネルに対応する多重フレームを受信して、この多重フレームを上記解析比較ユニットへ送信し、
上記解析比較ユニットは、受信された制御チャネルに対応する多重フレームのフレームヘッダを解析して、上記対応制御チャネルの多重フレームに緊急放送メッセージが存在すると判断した際に、上記対応制御チャネルの多重フレームを解析して、上記緊急放送メッセージを取得して、このメッセージを上記表示モジュールに送信する。
【００２０】
この中に、上記解析比較ユニットは、上記制御チャネルに対応する多重フレームに緊急放送メッセージが存在すると判断した際に、この緊急放送メッセージと前回に受信された緊急放送メッセージとが同じであるかどうかを比較して、両者が異なる場合にだけ、この制御チャネルの多重フレームを解析する。
【００２１】
上記解析比較ユニットは、上記制御チャネルに対応する多重フレームに緊急放送メッセージが存在しないと判断した際に、上記制御チャネルの多重フレームを解析しない。
【００２２】
本発明は、更に、緊急放送メッセージ受信処理用のチップを開示し、制御ユニットと解析比較ユニットを含み、この中に、
上記制御ユニットは、周期的に制御チャネルに対応する多重フレームを受信して、この多重フレームを上記解析比較ユニットに送信し、
上記解析比較ユニットは、受信された多重フレームのフレームヘッダを解析して、上記多重フレームに緊急放送メッセージが存在すると判断した際に、上記多重フレームを解析して、上記緊急放送メッセージを取得して、このメッセージを出力する。
【００２３】
さらに、上記チップにおいて、上記解析比較ユニットは、上記制御チャネルに対応する多重フレームに緊急放送メッセージが存在すると判断した際に、この緊急放送メッセージと前回に受信された緊急放送メッセージとが同じであるかどうかを比較して、両者が異なる場合にだけ、この多重フレームを解析する。
【００２４】
本発明は、さらに、緊急放送受信用の方法を開示して、
端末は、多重フレームを受信した後に、制御チャネルに対応する多重フレームのフレームヘッダに従って緊急放送メッセージがあるかどうかを判断して、あれば、上記多重フレーム識別子が零である多重フレームを解析して、上記緊急放送メッセージを取得して、端末のユーザーに表示することと、
上記端末は、緊急放送メッセージ処理を行うと同時に、すべての多重フレームを解析して、携帯電話テレビ番組を再生して、端末のユーザーに表示することとを含む。
【００２５】
さらに、上記方法において、上記端末は、周期的に上記制御チャネルに対応する多重フレームに緊急放送メッセージがあるかどうかを判断して、あれば、この多重フレームを解析して、上記緊急放送メッセージを取得して、端末のユーザーに表示する。
【００２６】
この中に、上記端末は、上記制御チャネルに対応する多重フレームに緊急放送メッセージが存在すると判断した後に、さらに、この緊急放送メッセージと前回に受信された緊急放送メッセージとが同じであるかどうかを比較して、両者が異なる場合にだけ、この多重フレームを解析する。
【００２７】
上記端末は、上記制御チャネルに対応する多重フレームに緊急放送メッセージが存在しないと判断した際に、上記多重フレームを解析しない。
【発明の効果】
【００２８】
本発明によれば、端末が閉じられ、または携帯電話のテレビモジュールが起動されない時にも緊急放送メッセージを受信でき、携帯電話がオンの状態で緊急放送メッセージを周期的に検査し受信することができ、節電と同時に、タイムリーで有効的に緊急放送メッセージを受信して、さらに緊急放送が提供する素速く便利な通告方法の目的を体現させて達成している。
【図面の簡単な説明】
【００２９】
【図１】移動マルチメディア放送チャネルフレームの構成図である。
【図２】制御情報多重フレームの緊急放送データフィールドのフォーマットを示す図である。
【図３】移動マルチメディア放送多重フレームヘッダの構造図である。
【図４】本発明の実施例による端末の構成を示す図である。
【図５】図４に示す端末が緊急放送メッセージを受信するフローチャートである。
【発明を実施するための形態】
【００３０】
本発明の主な考えとしては、従来の移動端末における携帯電話テレビ応用モジュールが二つの単独なモジュール、即ち、緊急放送メッセージ処理モジュールと携帯電話テレビ番組の受信再生用モジュール（以下、携帯電話テレビモジュールと呼ばれる。）に分けられる。この中に、端末は起動するプロセスにおいて、タイマーを起動することにより周期的に緊急放送メッセージ処理機能モジュールを起動させるが、携帯電話テレビモジュールは端末のユーザーが必要に応じて随時に起動させる。このように、端末が起動された後に、携帯電話テレビモジュールがオンにされるかどうかに係わらず、最新の緊急放送メッセージが受信され表示されることができる。
【００３１】
以下、図面と実施例に連携して本発明の技術案をさらに詳細に説明する。
【００３２】
図４に示すように、移動端末は、制御モジュールと、それぞれ制御モジュールと接続される緊急放送メッセージ処理モジュール、および携帯電話テレビモジュールと、を含み、さらに、緊急放送メッセージ処理モジュール、携帯電話テレビモジュールのそれぞれに接続される表示モジュールを含み、この中に、緊急放送メッセージ処理モジュールが、さらに、順次に接続された制御ユニットと解析比較ユニットを含む。以下、モジュールの機能を詳細に説明する。
【００３３】
制御モジュールは、多重フレームを受信し、すべての多重フレームを携帯電話テレビモジュールに送信し、同時に制御チャネルに対応する多重フレーム（即ち、ＭＦ＿ＩＤ＝０の多重フレーム）を緊急放送メッセージ処理モジュールに送信する。
【００３４】
携帯電話テレビモジュールは、マルチメディア多重フレームを解析し、携帯電話テレビ番組を再生する。
【００３５】
表示モジュールは、携帯電話テレビモジュールと緊急放送メッセージ処理モジュールから出力された携帯電話テレビ番組或いは緊急放送メッセージを端末の界面に表示する。
【００３６】
緊急放送メッセージ処理モジュールは、ＭＦ＿ＩＤ＝０の多重フレームのフレームヘッダを解析して、ＭＦ＿ＩＤ＝０の多重フレームに緊急放送メッセージがあるかどうかを判断して、あれば、このモジュールはマルチメディア多重フレームを解析して、緊急放送メッセージを取得して、ユーザー端末に表示する。本実施例において、端末は起動するプロセスにおいて、同時にこのモジュールを起動するが、端末はシャットダウンするプロセスにおいても、同時にこのモジュールをシャットダウンする。この中に、
制御ユニットは、周期的に緊急放送メッセージ処理モジュールを起動し、緊急放送メッセージ処理モジュールが起動される時に、このユニットがＭＦ＿ＩＤ＝０の多重フレームを解析比較ユニットに出力する。本実施例において、制御ユニットは一つのタイマーにより周期的に緊急放送メッセージ処理モジュールを起動させることができる。
【００３７】
解析比較ユニットは、制御ユニットより出力された多重フレームの解析を行って、多重フレームヘッダを解析し、フレームヘッダの「緊急放送指示」を取り出して、この指示をローカルで保存された緊急放送指示変数と比較して、等しくなければ、このＭＦ＿ＩＤ＝０の多重フレームにおいて緊急放送メッセージがあることを示して、この多重フレームからテーブル表示番号が０ｘ１０である緊急放送メッセージを解析して、この指示をローカルに保存された緊急放送指示の変数に値を与えて、解析後の緊急放送メッセージを表示モジュールへ出力して、この緊急放送指示がローカルに保存された緊急放送指示変数と等しければ、制御ユニットへ緊急放送メッセージ処理モジュールをシャットダウンすることを通知する。
【００３８】
その他の実施例において、上記端末はさらに単独の緊急放送メッセージ受信処理チップを採用して緊急放送メッセージ処理モジュールの機能を実現してもよく、この中に、緊急放送メッセージ受信処理チップが制御ユニットと解析比較ユニットを含む。
【００３９】
制御ユニットは、周期的に制御チャネル（ＭＦＩＤ＝０の多重フレーム）に対応する多重フレームを受信して、この多重フレームを上記解析比較ユニットに送信する。
【００４０】
解析比較ユニットは、受信された多重フレームのフレームヘッダを解析して、上記多重フレームに緊急放送メッセージが存在すると判断した際に、さらにこの緊急放送メッセージと前回に受信された緊急放送メッセージとが同じであるかどうかを比較して、両者が異なる時に、この多重フレームを解析して、緊急放送メッセージを取得して、このメッセージを外部表示設備（例えば、移動端末の表示モジュール）へ出力する。
【００４１】
以下、上記端末が緊急放送メッセージを受信するプロセスをさらに説明する。図５に示すように、以下のステップを含む。
【００４２】
ステップ５０１：端末をオンにさせ、緊急放送メッセージ処理モジュールを起動させる。
【００４３】
ステップ５０２：ローカル緊急放送指示変数（ｆｌａｇ）を設定して、本実施例において、ｆｌａｇの初期値を０に設定する。
【００４４】
ステップ５０３：マルチメディア多重フレームを受信して、すべての多重フレームを携帯電話テレビモジュールに送信して、制御チャネルに対応する多重フレーム（即ち、ＭＦ＿ＩＤ＝０の多重フレーム）を緊急放送メッセージ処理モジュールに送信する。
【００４５】
ステップ５０４：携帯電話テレビモジュールは受信された多重フレームを解析して、携帯電話テレビ番組を再生して、本プロセスを終了させる。
【００４６】
ステップ５０５：緊急放送メッセージ処理モジュールはＭＦ＿ＩＤ＝０の多重フレームのフレームヘッダを解析して、フレームヘッダにおける「緊急放送指示」を取り出して、本実施例において、ｅｂＦｌａｇで緊急放送指示を表す。
【００４７】
ステップ５０６：ｅｂＦｌａｇとローカルｆｌａｇとが等しいかどうかを判断して、等しければ、ステップ５０９に入って、さもなければステップ５０７に入る。
【００４８】
このステップにおいて、ｅｂＦｌａｇとローカルｆｌａｇとが等しいかどうかを判断するのは、ユーザーに同じ緊急放送メッセージを表示しないことを保証するためである。
【００４９】
ステップ５０７：ＭＦ＿ＩＤ＝０の多重フレームからテーブル識別子が０ｘ１０である緊急放送メッセージを解析して、ローカルｆｌａｇ＝ｅｂＦｌａｇに設定する。
【００５０】
ステップ５０８：この緊急放送メッセージをユーザーへ表示する。
【００５１】
ステップ５０９：緊急放送メッセージ処理モジュールをシャットダウンする。
【００５２】
上記実施例より分かるように、本発明の技術案において、緊急放送メッセージ処理部を制御する部分と一般的に携帯電話テレビ番組を受信し再生する機能とは分離させて、端末が閉じられるあるいは携帯電話テレビモジュールが起動されない時にも緊急放送メッセージを受信でき、それ以外に、本発明の技術案において一定のタイミングで緊急放送メッセージ処理モジュールを起動させて、つまり、携帯電話がオンの状態で緊急放送メッセージを周期的に検査して受信することを保証して、節電の目的を達成して、タイムリーで有効的に緊急放送メッセージを受信する。
【００５３】
もちろん、本発明は、さらにその他の多種類の実施例があって、本発明の精神及び実質に反しない状況で、本分野に慣れる当業者は本発明のより様々な対応の変化と変形が可能であるが、これらの対応の変化と変形は本発明における請求項の請求範囲に属すべきである。
【図１】
0005325990.tif 000002
【図２】
0005325990.tif 000003
【図３】
0005325990.tif 000004
【図４】
0005325990.tif 000005
【図５】
0005325990.tif 000006